(57)【要約】【課題】遊戯者が重さを容易に変更できる叩き付け玩具を提供する。【解決手段】本体部材２を備える叩き付け玩具１であって、前記本体部材２は、該本体部材２の厚み方向に重なり合う他の叩き付け玩具１に着脱可能に結合される結合部１１を有する。また、結合部１１が、厚み方向と交差する方向にスライドされることによって他の叩き付け玩具１に結合されるようにしてもよい。また、本体部材２の装着部に着脱可能に装着される交換部材をさらに備え、交換部材３には、該叩き付け玩具１を用いた遊戯の進め方に関する特徴情報が記されていてもよい。【選択図】図１
2015231586.tif 000002
【特許請求の範囲】
【請求項１】
本体部材を備える叩き付け玩具であって、
前記本体部材は、該本体部材の厚み方向に重なり合う他の叩き付け玩具に着脱可能に結合される結合部を有する叩き付け玩具。
【請求項２】
請求項１記載の叩き付け玩具であって、
前記結合部は、厚み方向と交差する方向にスライドされることによって他の叩き付け玩具に結合される叩き付け玩具。
【請求項３】
請求項１又は２記載の叩き付け玩具であって、
前記本体部材の装着部に着脱可能に装着される交換部材をさらに備え、
前記交換部材には、該叩き付け玩具を用いた遊戯の進め方に関する特徴情報が記されている叩き付け玩具。
【請求項４】
請求項１から３のいずれか一項記載の叩き付け玩具であって、
前記装着部は、前記交換部材の縁部を挟持し、
前記本体部材が可撓性及び柔軟性を有する材料からなる叩き付け玩具。
【請求項５】
請求項１から４のいずれか一項記載の叩き付け玩具であって、
前記本体部材の裏面には、設置面を有する少なくとも一つの突起部が設けられている叩き付け玩具。
【請求項６】
請求項５記載の叩き付け玩具であって、
前記突起部が前記結合部を兼ねる叩き付け玩具。
【発明の詳細な説明】
【技術分野】
【０００１】
本発明は、めんこ等の叩き付け玩具に関する。
【背景技術】
【０００２】
めんこを用いた遊戯では、遊戯者双方がめんこを地面に置き、相手方のめんこに自分のめんこを叩き付け、相手方のめんこを裏返せば勝ちとするのが一般的である。特許文献１に記載されためんこセットでは、腕力に乏しい小児等であっても十分に楽しめるように、セットに含まれる一部のめんこが他のめんこよりも重く形成されている。
【先行技術文献】
【特許文献】
【０００３】
【特許文献１】特開２００３−１２６５６５号公報
【発明の概要】
【発明が解決しようとする課題】
【０００４】
特許文献１に記載されためんこセットにおいて、めんこは、薄板状の一対の表面部材の間に同じく薄板状の中間部材を挟んで構成されており、一部のめんこは中間部材として金属薄板が用いられ、他のめんこは中間部材として厚紙が用いられており、それにより一部のめんこが他のめんこよりも重く形成されている。しかし、表面部材及び中間部材は互いに接着されており、めんこの重さは固定されているため、遊戯者がめんこの重さを増減させることはできない。
【０００５】
本発明は、上述した事情に鑑みなされたものであり、遊戯者が重さを容易に変更できる叩き付け玩具を提供することを目的としている。
【課題を解決するための手段】
【０００６】
本発明に係る叩き付け玩具は、本体部材を備える叩き付け玩具であって、前記本体部材は、該本体部材の厚み方向に重なり合う他の叩き付け玩具に着脱可能に結合される結合部を有することを特徴とする。
【０００７】
また、本発明に係る叩き付け玩具においては、前記結合部が、厚み方向と交差する方向にスライドされることによって他の叩き付け玩具に結合されるようにしてもよい。
【０００８】
また、本発明に係る叩き付け玩具においては、前記本体部材の装着部に着脱可能に装着される交換部材をさらに備え、前記交換部材には、該叩き付け玩具を用いた遊戯の進め方に関する特徴情報が記されていてもよい。
【０００９】
また、本発明に係る叩き付け玩具においては、前記装着部が、前記交換部材の縁部を挟持し、前記本体部材が可撓性及び柔軟性を有する材料からなっていてもよい。
【００１０】
また、本発明に係る叩き付け玩具においては、前記本体部材の裏面に、設置面を有する少なくとも一つの突起部が設けられていてもよい。
【００１１】
また、本発明に係る叩き付け玩具においては、前記突起部が前記結合部を兼ねていてもよい。
【発明の効果】
【００１２】
本発明によれば、遊戯者が重さを容易に変更できる叩き付け玩具を提供することができる。
【図面の簡単な説明】
【００１３】
【図１】本発明の実施形態を説明するための、叩き付け玩具の一例の構成を示す図である。
【図２】図１の叩き付け玩具が他の叩き付け玩具１と結合された状態を示す図である。
【図３】図１の叩き付け玩具の変形例の構成を示す図である。
【図４】図３の叩き付け玩具が他の叩き付け玩具と結合される過程を示す図である。
【発明を実施するための形態】
【００１４】
図１は、本発明の実施形態を説明するための、叩き付け玩具の一例の構成を示す。
【００１５】
叩き付け玩具１は、盤状の本体部材２と、本体部材２の装着部１０に着脱可能に装着される交換部材３とを備えている。なお、本体部材２は、図示の例では平面視で円形状に形成されているが、その形状は特に限定されず、また、交換部材３は、図示の例では平面視で四角形状に形成されているが、その形状は特に限定されない。
【００１６】
装着部１０は、本体部材２の略中央部に設けられており、交換部材３が嵌まり込む収容孔２０と、収容孔２０に収容された交換部材３の縁部を保持する複数の保持片２１とを含んで構成されている。本体部材２が撓められた状態で交換部材３の縁部が一部の保持片２１の間に挟み込まれ、その後に撓められた本体部材２が元に戻されて交換部材３の縁部が全ての保持片２１の間に挟み込まれることにより、交換部材３は装着部１０に装着される。
【００１７】
本体部材２は、例えばエラストマーなどの可撓性及び柔軟性を有する材料によって形成されることが好ましい。それによれば、本体部材２に対する交換部材３の着脱が容易となり、また、叩き付けによる本体部材２の破損や過大な衝撃音の発生を防止ないし抑制することができる。
【００１８】
交換部材３の一方の面には、叩き付け玩具１を用いた遊戯の進め方に関する特徴情報Ｉが記されている。以下に、叩き付け玩具１を用いた遊戯方法の一例を説明する。
【００１９】
遊戯者双方が、所定数の叩き付け玩具１を地面に置く。これらの叩き付け玩具１には交換部材３がそれぞれ装着されており、これらの叩き付け玩具１は、特徴情報Ｉが記された面が地面に向くように置かれ、自己の叩き付け玩具１にそれぞれ装着されている交換部材３の特徴情報Ｉは相手方には伏せられる。
【００２０】
遊戯者双方は、交互に、地面に置かれた相手方の叩き付け玩具１に向けて自己の攻撃用の叩き付け玩具１を叩き付ける。そして、地面に置かれた相手方の叩き付け玩具１の全てを先に裏返した遊戯者を勝ちとする。
【００２１】
地面に置かれた叩き付け玩具１が裏返されると、裏返された叩き付け玩具１に装着された交換部材３の特徴情報Ｉが顕となり、遊戯者双方は、その特徴情報Ｉに従って遊戯を進める。
【００２２】
特徴情報Ｉとしては、「相手方に裏返された自己の叩き付け玩具のいずれか一つを元に戻す」、「相手方の叩き付け玩具のいずれか一つを裏返す」、「自己の攻撃用の叩き付け玩具を２枚重ねにする」といったものを例示することができる。
【００２３】
特徴情報Ｉの一例としての「自己の攻撃用の叩き付け玩具を２枚重ねにする」にあるように、叩き付け玩具１は、本体部材２の厚み方向に本体部材２に重なる他の叩き付け玩具１と着脱可能に結合されるように構成されており、本体部材２には、他の叩き付け玩具１と結合される結合部１１が設けられている。
【００２４】
結合部１１は、複数の係合爪３０と、複数の係合孔３１とを含んで構成されている。
【００２５】
複数の係合爪３０は、本体部材２の一方の面２ａから本体部材２の厚み方向に突出して形成されており、本体部材２の装着部１０の外側で本体部材２の中心軸まわりの円周上に所定の間隔をあけて配置されている。
【００２６】
複数の係合孔３１は、本体部材２の厚み方向に本体部材２を貫通して形成されており、係合爪３０が配置されている円周と同じ円周上で上記所定の間隔をあけて配置されている。係合孔３１の内部には、係合爪３０が係合可能な段差部３２が設けられている。
【００２７】
図２は叩き付け玩具１が他の叩き付け玩具１と結合された状態を示す。
【００２８】
本体部材２の厚み方向に叩き付け玩具１−１，１−２が相対移動され、一方の叩き付け玩具１−１の上にもう一方の叩き付け玩具１−２が重ねられる。
【００２９】
両叩き付け玩具１−１，１−２の本体部材２の厚み方向の相対移動に伴い、上に位置する叩き付け玩具１−２の係合爪３０は、弾性的に撓みながら、下に位置する叩き付け玩具１−１の本体部材２の上面２ｂ（係合爪３０が設けられている面２ａとは反対側の面）側から叩き付け玩具１−１の係合孔３１に進入する。
【００３０】
そして、叩き付け玩具１−２の係合爪３０は、叩き付け玩具１−１の係合孔３１に収容され、係合孔３１の内部の段差部３２に係合する。それにより両叩き付け玩具１−１，１−２が互いに結合される。
【００３１】
互いに結合された叩き付け玩具１−１，１−２を互いに分離させるには、例えば両叩き付け玩具１−１，１−２の一方又は双方を撓ませて、係合爪３０と係合孔３１の内部の段差部３２との係合を解除すればよい。
【００３２】
なお、図示の例では２枚の叩き付け玩具１−１，１−２が互いに結合されているが、叩き付け玩具１−２の上にさらに他の叩き付け玩具１を順に重ね、３枚以上の叩き付け玩具１を互いに結合させることもできる。
【００３３】
このように、本叩き付け玩具１は、結合部１１の係合爪３０及び係合孔３１によって他の叩き付け玩具１と着脱可能に結合される。そこで、遊戯者は、叩き付け玩具１の結合枚数を増減させることによって、その重さを容易に変更できる。また、叩き付け玩具１の係合爪３０は、他の叩き付け玩具１の係合孔３１の内部において段差部３２に係合し、両叩き付け玩具１の係合箇所が外部に露出しない。そのため、結合された複数の叩き付け玩具１が地面に向けて叩き付けられた際に、叩き付け玩具１同士の係合箇所に外力が直接作用せず、これらの叩き付け玩具１の結合が不用意に解除されることが防止される。
【００３４】
また、係合爪３０は、他の叩き付け玩具１に係合していない状態では本体部材２の下面２ａから突出している。そのため、係合爪３０の先端面を設置面として叩き付け玩具１が地面に置かれた場合に、本体部材２の縁部が地面から浮くこととなる。本体部材２の縁部が地面から浮いて地面に置かれた叩き付け玩具１は、上述した遊戯方法において攻撃用の叩き付け玩具１が叩き付けられた際に裏返り易くなり、遊戯がテンポ良く進む。なお、係合爪３０とは別に本体部材２の縁部を浮かせるための突起部を本体部材２に設けてもよく、その場合に突起部は少なくとも一つあればよい。
【００３５】
図３は、上述した叩き付け玩具１の変形例の構成を示す。なお、上述した叩き付け玩具１と共通する要素には、共通の符号を付し、説明を簡略又は省略する。
【００３６】
図３に示す叩き付け玩具１０１は、結合部１１１の構成が上述した叩き付け玩具１と異なる。上述した叩き付け玩具１は、本体部材２の厚み方向の相対移動によって他の叩き付け玩具１と互いに結合されるが、図３に示す叩き付け玩具１０１では、本体部材２の厚み方向と交差する方向の相体移動によって他の叩き付け玩具１０１と互いに結合される。
【００３７】
結合部１１１は、複数の係合爪１３０と、複数の挿入孔１３１及び係合孔１３２とを含んで構成されている。
【００３８】
複数の係合爪１３０は、本体部材２の一方の面２ａから本体部材２の厚み方向に突出して形成されており、本体部材２の装着部１０の外側で本体部材２の中心軸まわりの円周上に所定の間隔をあけて配置されている。
【００３９】
複数の挿入孔１３１もまた、本体部材２の厚み方向に本体部材２を貫通して形成されており、係合爪１３０が配置されている円周と同じ円周上で上記所定の間隔をあけて配置されている。係合孔１３２は、挿入孔１３１が配置されている円周の周方向に各挿入孔１３１に連なって設けられており、係合孔１３２の内部には、係合爪１３０が係合可能な段差部１３３が設けられている。
【００４０】
図４は叩き付け玩具１０１が他の叩き付け玩具１０１と結合される過程を示す。
【００４１】
本体部材２の厚み方向に叩き付け玩具１０１−１に重ねられる叩き付け玩具１０１−２の係合爪１３０が、叩き付け玩具１０１−１の挿入孔１３１に進入し、挿入孔１３１に収容される。
【００４２】
そして、叩き付け玩具１０１−２が、本体部材２の厚み方向と交差する方向である本体部材２の中心軸まわりの円周方向Ａに相対回転されると、叩き付け玩具１０１−２の係合爪１３０は、叩き付け玩具１０１−１の挿入孔１３１に連なる係合孔１３２に移動され、係合孔１３２の内部の段差部１３３に係合する。それにより、両叩き付け玩具１０１−１，１０１−２が互いに結合される。
【００４３】
互いに結合された叩き付け玩具１０１−１，１０１−２を互いに分離させるには、上記円周方向Ａとは反対の円周方向に叩き付け玩具１０１−２を相対回転させ、係合爪１３０と係合孔１３２の内部の段差部１３３との係合を解除すればよい。
【００４４】
結合された複数の叩き付け玩具１０１が地面に向けて叩き付けられた際に、これらの叩き付け玩具１０１には、典型的には本体部材２の厚み方向に外力が作用するが、上述のとおり、これらの叩き付け玩具１０１は本体部材２の厚み方向と交差する方向へスライドされることによって互いに結合・分離されるので、これらの叩き付け玩具１０１の結合が不用意に解除されることが防止される。
【符号の説明】
【００４５】
１     叩き付け玩具
２     本体部材
３     交換部材
１０   装着部
１１   結合部
２０   収容孔
２１   保持片
３０   係合爪
３１   係合孔
３２   段差部
【図１】
2015231586.tif 000003
【図２】
2015231586.tif 000004
【図３】
2015231586.tif 000005
【図４】
2015231586.tif 000006